(57)【要約】【課題】初期化を行っても記憶させておきたい画像データだけを容易に記憶させておく。【解決手段】電子機器（１００）は、画像データを記憶する記憶媒体（２０）と、この記憶媒体（２０）を初期化する初期化手段（１）と、を備える。記憶媒体（２０）は、ユーザに指定された指定画像データを記憶する指定画像データ記憶領域（２１）を備える。初期化手段（１）は、記憶媒体（２０）内の記憶領域のうち、指定画像データ記憶領域（２１）以外の記憶領域を初期化する。【選択図】        図１
2004343323.tif 000002
【特許請求の範囲】
【請求項１】
画像データを記憶する記憶媒体と、前記記憶媒体を初期化する初期化手段と、を備える電子機器であって、
前記記憶媒体は、ユーザに指定された指定画像データを記憶する指定画像データ記憶領域を備え、
前記初期化手段は、前記記憶媒体内の記憶領域のうち、前記指定画像データ記憶領域以外の記憶領域を初期化することを特徴とする電子機器。
【請求項２】
前記指定画像データ記憶領域に記憶させる指定画像データを指定する指定手段と、
前記指定手段により指定された指定画像データを前記指定画像データ記憶領域に記憶させる記憶制御手段と、
を備えることを特徴とする請求項１に記載の電子機器。
【請求項３】
前記指定画像データ記憶領域を複数の画像データ記憶領域に分割したことを特徴とする請求項１又は２に記載の電子機器。
【請求項４】
ユーザに指定された指定画像データを記憶する第一の記憶媒体と、前記指定画像データを記憶可能な第二の記憶媒体と、前記第一の記憶媒体を初期化する初期化手段と、を備える電子機器であって、
前記初期化手段は、前記第一の記憶媒体から前記指定画像データを特定して第二の記憶媒体に記憶させた後、前記第一の記憶媒体を初期化することを特徴とする電子機器。
【請求項５】
前記第一の記憶媒体に記憶させる指定画像データを指定する指定手段と、
前記指定手段によって指定された指定画像データに識別標識を付与する識別標識付与手段と、を備え、
前記初期化手段は、前記第一の記憶媒体から前記識別標識が付与された画像データを特定して前記第二の記憶媒体に記憶させた後、前記第一の記憶媒体を初期化することを特徴とする請求項４に記載の電子機器。
【請求項６】
画像データを記憶する記憶媒体と、前記記憶媒体を初期化する初期化手段と、を備える電子機器であって、
ユーザによって指定される指定画像データを指定するための指定手段と、
前記記憶媒体に、指定領域を作成する指定領域作成手段と、を備え、
前記初期化手段は、前記記憶媒体内の記憶領域から前記指定手段により指定された指定画像データを特定して、前記指定領域作成手段によって作成された前記指定領域に記憶させて前記指定領域以外の記憶領域を初期化した後、前記指定領域から前記指定画像データを特定して前記指定領域以外の記憶領域に記憶させて前記指定領域を初期化することを特徴とする電子機器。
【発明の詳細な説明】
【０００１】
【発明の属する技術分野】
本発明は、電子機器に関する。
【０００２】
【従来の技術】
従来、電子機器として、例えば、デジタルカメラにおいては、撮像された画像データを内蔵フラッシュメモリや取り外し可能な不揮発記憶メディア（メモリカード、ハードディスク等）に記憶させている。この場合、画像データを格納すべき記憶メディアの記憶領域を指定し、指定された記憶領域に画像ファイルを記憶させる制御が行われている（例えば、特許文献１参照。）。
このような画像データ管理方法を用いることにより、記憶された画像データを消去する場合は、ユーザが消去する画像データと保存すべき画像データとを選択して消去することが容易にできる。
ところで、フラッシュメモリや不揮発記憶メディアの特性上、画像データの記憶と消去を繰り返すと再生時のレスポンスが悪くなるため、フラッシュメモリや不揮発記憶メディア自体の初期化を行うことが好ましい。
【０００３】
【特許文献１】
特開２０００−７８５１７号公報
【０００４】
【発明が解決しようとする課題】
しかし、フラッシュメモリや不揮発記憶メディアに保存しておきたい画像データがあっても、初期化を行うことにより記憶されている全ての画像データが消去されてしまうという問題があった。
【０００５】
そこで、本発明の課題は、初期化を行っても保存しておきたい画像データだけを容易に保存させておくことができる電子機器を提供することにある。
【０００６】
【課題を解決するための手段】
以上の課題を解決するため、請求項１に記載の発明は、画像データを記憶する記憶媒体と、前記記憶媒体を初期化する初期化手段と、を備える電子機器であって、前記記憶媒体は、ユーザに指定された指定画像データを記憶する指定画像データ記憶領域を備え、前記初期化手段は、前記記憶媒体内の記憶領域のうち、前記指定画像データ記憶領域以外の記憶領域を初期化することを特徴とする。
【０００７】
請求項１に記載の発明によれば、初期化手段は、記憶媒体内の記憶領域のうち、指定画像データ記憶領域以外の記憶領域を初期化するので、記憶媒体の初期化を行う前に記憶しておきたい画像データを指定画像データ記憶領域に記憶させておくことにより、記憶しておきたい画像データだけを記憶媒体に残し、記憶媒体の初期化を行うことができる。
【０００８】
請求項２に記載の発明は、請求項１に記載の電子機器において、前記指定画像データ記憶領域に記憶させる指定画像データを指定する指定手段と、前記指定手段により指定された指定画像データを前記指定画像データ記憶領域に記憶させる記憶制御手段と、を備えることを特徴とする。
【０００９】
請求項２に記載の発明によれば、ユーザが指定手段によって指定した指定画像データを記憶制御手段が指定画像データ記憶領域に記憶させる。よって、簡単な方法で指定画像データを指定することができるので、ユーザフレンドリーな電子機器とすることができる。
【００１０】
請求項３に記載の発明は、請求項１又は２に記載の電子機器において、前記指定画像データ記憶領域を複数の画像データ記憶領域に分割したことを特徴とする。
【００１１】
請求項３に記載の発明によれば、指定画像データ記憶領域を複数の画像データ記憶領域に分割することにより、記憶しておきたい画像データを使用目的や日付毎に分類することができるので、再生時のアクセスを容易にすることができる。
【００１２】
請求項４に記載の発明は、請求項３に記載の電子機器において、ユーザに指定された指定画像データを記憶する第一の記憶媒体と、前記指定画像データを記憶可能な第二の記憶媒体と、前記第一の記憶媒体を初期化する初期化手段と、を備える電子機器であって、前記初期化手段は、前記第一の記憶媒体から前記指定画像データを特定して第二の記憶媒体に記憶させた後、前記第一の記憶媒体を初期化することを特徴とする。
【００１３】
請求項４に記載の発明によれば、初期化手段が、第一の記憶媒体から指定画像データを特定して第二の記憶媒体に記憶させた後、第一の記憶媒体を初期化する。よって、第一の記憶媒体の初期化時に、指定画像データを待避させる第二の記憶媒体を設けることにより、記憶しておきたい指定画像データだけを記憶媒体に残し、記憶媒体の初期化を行うことができる。
【００１４】
請求項５に記載の発明は、請求項４に記載の電子機器において、前記第一の記憶媒体に記憶させる指定画像データを指定する指定手段と、前記指定手段によって指定された指定画像データに識別標識を付与する識別標識付与手段と、を備え、前記初期化手段は、前記第一の記憶媒体から前記識別標識が付与された画像データを特定して前記第二の記憶媒体に記憶させた後、前記第一の記憶媒体を初期化することを特徴とする。
【００１５】
請求項５に記載の発明によれば、指定手段によって初期化時に記憶しておく画像データが指定され、識別標識付与手段が指定された指定画像データに識別標識を付与する。そして、初期化手段は、第一の記憶媒体から識別標識が付与された画像データを特定して第二の記憶媒体に記憶させた後、第一の記憶媒体を初期化する。よって、識別標識を付与することにより画像データを識別することができるので、記憶しておく画像データだけを記憶媒体に残し、他の初期化すべき画像データを記憶媒体から初期化することができる。
【００１６】
請求項６に記載の発明は、画像データを記憶する記憶媒体と、前記記憶媒体を初期化する初期化手段と、を備える電子機器であって、ユーザによって指定される指定画像データを指定するための指定手段と、前記記憶媒体に、指定領域を作成する指定領域作成手段と、を備え、前記初期化手段は、前記記憶媒体内の記憶領域から前記指定手段により指定された指定画像データを特定して、前記指定領域作成手段によって作成された前記指定領域に記憶させて前記指定領域以外の記憶領域を初期化した後、前記指定領域から前記指定画像データを特定して前記指定領域以外の記憶領域に記憶させて前記指定領域を初期化することを特徴とする。
【００１７】
請求項６に記載の発明によれば、指定領域作成手段が、記憶媒体内にユーザに指定された指定領域を作成し、初期化手段が記憶媒体内の記憶領域からユーザに指定手段を介して指定された指定画像データを特定して指定領域に記憶させて指定領域以外の記憶領域を初期化した後、指定領域から指定画像データを特定して指定領域以外の記憶領域に記憶させて指定領域を初期化する。よって、記憶媒体内の記憶領域を一時的に分割して記憶領域を初期化することができるので、記憶しておく画像データだけを記憶媒体に残し、他の初期化すべき画像データを記憶媒体から初期化することができる。
【００１８】
【発明の実施の形態】
以下、図面を参照して本発明の電子機器に係る実施の一形態について詳細に説明する。なお、本実施の形態では、電子機器としてデジタルカメラを挙げて説明する。
【００１９】
〔第１の実施の形態〕
デジタルカメラ１００には、図１に示すように、各部の動作制御を行う制御部１、撮像した画像データを記憶する記憶媒体としてのフラッシュメモリ２０を備えた画像データ記憶部２、被写体を撮像する撮像部３、撮像した被写体像をデジタル画像データに変換する画像処理部４、フラッシュメモリ２０の初期化時に記憶させておく画像データを指定する指定手段としての入力部５、画像データが表示される表示部６等が設けられている。
【００２０】
制御部１には、各部の演算処理等を行うＣＰＵ１１、ＣＰＵ１１のワークエリア等として使用されるＲＡＭ１２、ＣＰＵ１１が各部を制御するのに必要なシステムプログラム等が記憶されたＲＯＭ１３等が設けられている。
ＣＰＵ１１は、ＲＯＭ１３内に格納されたプログラムを読み出してＲＡＭ１２内に展開して、ＲＡＭ１２を作業領域として使用し、当該プログラムに基づいて各部への指示やデータの送受信の制御を行う。
具体的に、ＣＰＵ１１は、フラッシュメモリ２０のうち、一般画像データ記憶領域２２（後述する）に記憶された画像データを初期化する初期化手段として機能する。また、ＣＰＵ１１は、入力部５によって指定された指定画像データを指定画像データ領域２１に記憶させる記憶制御手段として機能する。
【００２１】
ＲＯＭ１３には、ＣＰＵ１１が各種機能を実行するためのプログラムが格納されている。
具体的に、ＲＯＭ１３は、フラッシュメモリ２０のうち、一般画像データ記憶領域２２（後述する）に記憶された画像データを初期化する機能を実現させる初期化プログラム１３ａを有する。また、ＲＯＭ１３は、入力部５によって指定された指定画像データを指定画像データ領域２１に記憶させる機能を実現させる記憶制御プログラム１３ｂを有する。
【００２２】
画像データ記憶部２は、フラッシュメモリ２０を備えるほか、制御部１とフラッシュメモリ２０とを接続するコネクタ等を備えている。
フラッシュメモリ２０の記憶領域は、ユーザに指定された画像データを保存する指定画像データ記憶領域２１と、ユーザに指定されなかった画像データを保存する一般画像データ記憶領域２２とに分割されている。指定画像データ記憶領域２１は、複数の画像データ記憶領域２１ａ〜２１ｃに分割されており、ユーザによって任意に設定可能である。例えば、電車やバス等の時刻表の画像データを保存する交通情報記憶領域２１ａ、家族と撮像した画像データを保存する家族画像記憶領域２１ｂ、友達と撮像した画像データを保存する友達画像記憶領域２１ｃに分割されている。
一般画像データ記憶領域２２は、ＣＰＵ１１が初期化プログラムを実行することにより、初期化される領域であり、初期化時に記憶していなくても良い画像データはここに記憶される。
なお、画像データには、撮像された画像そのものに限らず、画像に関連した撮像条件の情報、ユーザがメモ書きしたテキストデータの情報等が当該画像とともに記憶されている。
【００２３】
撮像部３は、レンズに入力された被写体像をＣＣＤ等の撮像素子によってデジタルデータに変換し、撮像部３によって変換された画像データは、画像処理部４によって画像処理が施される。
入力部５は、デジタルカメラ１００に設けられた表示部６に表示された画像データの一覧からユーザが指定画像データ記憶領域２１に記憶させる画像データを撮像前に指定するほか、フラッシュメモリ２０に記憶された画像データの再生時に、当該画像データを指定する指定手段として機能する。入力部５としては、例えば、表示部６の近傍に設けられたキー又はボタン等が利用される。
【００２４】
〔撮像前に画像データを指定画像データとして指定した場合の指定画像データ記憶処理〕
ここで、撮像前に画像データを指定画像データとして指定した場合の指定画像データ記憶処理について説明する。
図２に示すように、被写体を撮像する場合、ユーザは、撮像しようとしている画像データを指定画像データとして記憶するか否かの指示を、入力部５を介して行う。すると、ＣＰＵ１１は、指定画像データ記憶領域２１に記憶する旨の信号を受信したか否かについて判断する（ステップＳ１）。
【００２５】
ここで、ＣＰＵ１１が、撮像しようとする画像データを指定画像データ記憶領域２１に記憶する旨の信号を受信したと判断した場合（ステップＳ１；ＹＥＳ）、入力部５を介したユーザの指示に従い、ＣＰＵ１１は、画像データを指定画像データ記憶領域２１のうち、どの画像データ記憶領域２１ａ〜２１ｃに記憶するかを設定し（ステップＳ２）、撮像部３に被写体を撮像させる（ステップＳ３）。被写体の撮像後、ＣＰＵ１１は、記憶制御プログラム１３ａを実行することにより、撮像した画像データを入力部５により指定された指定画像データ記憶領域２１ａ〜２１ｃに保存し（ステップＳ４）、これをもって、本処理を終了する。
【００２６】
一方、ＣＰＵ１１が、撮像しようとする画像データを指定画像データとして指定画像データ記憶領域２１に記憶しない旨の信号を受信したと判断した場合（ステップＳ１；ＮＯ）、ＣＰＵ１１は撮像部３を制御して被写体を撮像し（ステップＳ５）、ＣＰＵ１１は、撮像した画像データをフラッシュメモリ２０のうち、一般画像データ記憶領域２２に記憶させ（ステップＳ６）、これをもって、本処理を終了する。
【００２７】
〔撮像後の画像データ再生中に画像データを指定画像データとして指定した場合の指定画像データ記憶処理〕
続いて、撮像後の画像データ再生中に画像データを指定画像データとして指定した場合の指定画像データ記憶処理について説明する。
図３に示すように、ＣＰＵ１１が、一般画像データ記憶領域２２に記憶された画像データを再生する旨の信号を受信すると（ステップＳ１１）、ＣＰＵ１１は、画像データを再生し、表示部６に画像データを表示させる（ステップＳ１２）。次いで、ユーザは、再生中の画像データを指定画像データとして記憶するか否かを判断し、入力部５を介して指示を行い、ＣＰＵ１１は、再生中の画像データを指定画像データとして記憶する旨の信号を受信したか否かを判断する（ステップＳ１３）。
【００２８】
ここで、ＣＰＵ１１が、再生中の画像データを指定画像データとして指定画像データ記憶領域２１に記憶する旨の信号を受信したと判断した場合（ステップＳ１３；ＹＥＳ）、入力部５を介したユーザの指示に従い、ＣＰＵ１１は、画像データを指定画像データ記憶領域２１のうち、どの画像データ記憶領域２１ａ〜２１ｃに記憶するかを設定し（ステップＳ１４）、記憶先の設定後に、ＣＰＵ１１は、記憶制御プログラム１３ｂを実行することにより、再生中の画像データを一般画像データ領域２２から入力部５により指定された画像データ記憶領域２１ａ〜２１ｃに移動させて記憶させ（ステップＳ１５）、これをもって、本処理を終了する。
【００２９】
一方、ＣＰＵ１１が、再生中の画像データを指定画像データとして記憶しない旨の信号を受信した場合（ステップＳ１３；ＮＯ）、再生中の画像データは何ら処理されることなく、これをもって、本処理を終了する。
【００３０】
〔フラッシュメモリの初期化処理〕
続いて、フラッシュメモリの初期化処理について説明する。
図４に示すように、ユーザが入力部５を介して初期化の指示を行うと、ＣＰＵ１１は、フラッシュメモリ２０にアクセスして指定画像データ記憶領域２１を特定する（ステップＳ２１）。次いで、ＣＰＵ１１は、初期化プログラム１３ａを実行することにより、指定画像データ記憶領域２１以外の領域、すなわち、一般画像データ記憶領域２２を初期化し（ステップＳ２２）、これをもって、本処理を終了する。
【００３１】
本実施の形態のデジタルカメラ１００によれば、ＣＰＵ１１が初期化プログラム１３ａを実行することにより、一般画像データ記憶領域２２を初期化するので、一般画像データ記憶領域２２の初期化を行う前に記憶しておきたい画像データを指定画像データ記憶領域２１に記憶させておくことにより、記憶しておきたい画像データだけをフラッシュメモリ２０に残した状態でフラッシュメモリ２０の初期化を行うことができる。
【００３２】
また、指定画像データ記憶領域２１を複数の画像データ記憶領域２１ａ〜２１ｃに分割することにより、記憶しておきたい画像データを使用目的や日付毎に分類することができるので、再生時のアクセスを容易にすることができる。
【００３３】
更に、画像データの撮像前に、入力部５により保存しておきたい画像データの指定を行うことができるので、撮像後における画像データの整理の手間を省くことができる。また、ユーザが撮像前に保存しておきたい画像データとして指定せず、画像再生中に保存しておきたくなった場合においても、ユーザが入力部５で指定することにより、ＣＰＵ１１が記憶制御プログラム１３ｂを実行することにより、再生中の画像データを記憶しておきたい画像データとして指定画像データ保存領域２１に移動させて記憶させることができる。
【００３４】
〔第２の実施の形態〕
次に、本発明のデジタルカメラに係る第２の実施の形態について説明する。なお、第１の実施の形態と同様の構成要素には、同一符号を付して説明を省略する。
デジタルカメラ２００には、図５に示すように、各部の動作制御を行う制御部１０、撮像した画像データを記憶する第一の記憶媒体としての第一のフラッシュメモリ３１と、第一のフラッシュメモリ３１を初期化する場合に、撮像した画像データを一時的に記憶する第二の記憶媒体としての第二のフラッシュメモリ３２とを備えた画像データ記憶部３０、被写体を撮像する撮像部３、撮像した被写体像をデジタル画像データに変換する画像処理部４、第一のフラッシュメモリ３１の初期化を行う場合に、記憶しておく画像データを第一のフラッシュメモリ３１の中から指定する指定手段としての入力部５０、画像データが表示される表示部６等が設けられている。
【００３５】
制御部１０には、各部の演算処理等を行うＣＰＵ１０１、ＣＰＵ１０１のワークエリア等として使用されるＲＡＭ１０２、ＣＰＵ１０１が各部を制御するのに必要なシステムプログラム等が記憶されたＲＯＭ１０３等が設けられている。
ＣＰＵ１０１は、ＲＯＭ１０３内に格納されたプログラムを読み出してＲＡＭ１０２内に展開し、当該プログラムに基づいて各部への指示やデータの送受信の制御を行う。
具体的に、ＣＰＵ１０１は、第一のフラッシュメモリ３１を初期化する初期化手段として機能する。また、ＣＰＵ１０１は、入力部５０によって指定された指定画像データに識別標識を付与する識別標識付与手段として機能する。例えば、図３に示すように、記憶される画像データには、識別標識としての「ｐｒｅ」の拡張子が付される。
【００３６】
ＲＯＭ１０３には、ＣＰＵ１０１が各種機能を実行するためのプログラムが格納されている。
具体的に、ＲＯＭ１０３は、第一のフラッシュメモリ３１を初期化する機能を実現させる初期化プログラム１０３ａを有する。また、ＲＯＭ１０３は、入力部５０によって指定された指定画像データに識別標識を付与する機能を実現させるための識別標識付与プログラム１０３ｂを有する。
【００３７】
画像データ記憶部３０は、第一のフラッシュメモリ３１及び第二のフラッシュメモリ３２を備えるほか、制御部１０と各フラッシュメモリ３１，３２とを接続するコネクタ等を備えている。第一のフラッシュメモリ３１は、撮像した画像データを記憶させるために用いるものであり、第２のフラッシュメモリ３２は、第一のフラッシュメモリ３１を初期化する場合に、ユーザによって指定された指定画像データを記憶させておくために用いられる。
入力部５０は、デジタルカメラ２００に設けられた表示部６に表示された画像データの一覧からユーザが記憶しておく画像データを指定するためのものである。入力部５０としては、例えば、表示部６の近傍に設けられたキー又はボタン等が利用される。
【００３８】
〔撮像前に画像データを指定画像データとして指定した場合の指定画像データ記憶処理〕
ここで、撮像前に画像データを指定画像データとして指定した場合の指定画像データ記憶処理について説明する。
図６に示すように、被写体を撮像する場合、ユーザは、撮像しようとしている画像データを指定画像データとして記憶するか否かの指示を、入力部５を介して行う。すると、ＣＰＵ１０１は、第一のフラッシュメモリ３１に記憶する旨の信号を受信したか否かについて判断する（ステップＳ３１）。
【００３９】
ここで、ＣＰＵ１０１が撮像しようとする画像データを指定画像データとして第一のフラッシュメモリ３１に記憶する旨の信号を受信したと判断した場合（ステップＳ３１；ＹＥＳ）、入力部５０を介したユーザに指示に従い、ＣＰＵ１０１は、画像データが指定された旨を設定し（ステップＳ３２）、撮像部３を制御して被写体を撮像する（ステップＳ３３）。被写体の撮像後、ＣＰＵ１０１は、識別標識付与プログラム１０３ｂを実行することにより、ユーザに指定された画像データに「ｐｒｅ」の拡張子を付与して第一のフラッシュメモリ３１に記憶させ（ステップＳ３４）、これをもって、本処理を終了する。
【００４０】
一方、ＣＰＵ１０１が、撮像しようとする画像データを指定画像データとして記憶しない旨の信号を受信したと判断した場合（ステップＳ３１；ＮＯ）、ＣＰＵ１０１は撮像部３を制御して被写体を撮像し（ステップＳ３５）、ＣＰＵ１０１は、画像データを第一のフラッシュメモリ３１に記憶させ（ステップＳ３６）、これをもって、本処理を終了する。
【００４１】
〔撮像後の画像データ再生中に画像データを指定画像データとして指定した場合の指定画像データ記憶処理〕
続いて、撮像後の画像データ再生中に画像データを指定画像データとして指定した場合の指定画像データ記憶処理について説明する。
図７に示すように、ＣＰＵ１０１が、ユーザによる画像データを再生する旨の信号を受信すると（ステップＳ４１）、ＣＰＵ１０１は、画像データを再生し、表示部６に画像データを表示させる（ステップＳ４２）。次いで、ユーザは、再生中の画像データを記憶するか否かを判断し、入力部５０を介して指示を行い、ＣＰＵ１０１は、再生中の画像データを記憶する旨の信号をしたか否かを判断する（ステップＳ４３）。
【００４２】
ここで、ユーザが、再生中の画像データを記憶する旨の信号を受信したと判断した場合（ステップＳ４３；ＹＥＳ）、入力部５０を介したユーザの指示に従い、ＣＰＵ１０１は、画像データを指定画像データとして記憶する旨を設定し（ステップＳ４４）、ＣＰＵ１０１は識別標識付与プログラム１０３ｂを実行することにより、画像データに「ｐｒｅ」の拡張子を付与して第一のフラッシュメモリ３１に記憶させ（ステップＳ４５）、これをもって、本処理を終了する。
【００４３】
一方、ＣＰＵ１０１が、再生中の画像データを指定画像データとして記憶しない旨の信号を受信した場合（ステップＳ４３；ＮＯ）、再生中の画像データは何ら処理されることなく、これをもって、本処理を終了する。
【００４４】
〔フラッシュメモリの初期化処理〕
続いて、フラッシュメモリの初期化処理について説明する。
図８に示すように、ユーザが入力部５０を介して初期化の指示を行うと、ＣＰＵ１０１は、初期化プログラム１０３ａを実行することにより、第一のフラッシュメモリ３１にアクセスして拡張子「ｐｒｅ」の付与された指定画像データを特定する（ステップＳ５１）。次いで、ＣＰＵ１０１は、特定した指定画像データを第二のフラッシュメモリ３２に記憶させる（ステップＳ５２）。次いで、ＣＰＵ１０１は、第一のフラッシュメモリ３１を初期化し（ステップＳ５３）、第二のフラッシュメモリ３２に記憶された指定画像データを第一のフラッシュメモリ３１に移動させ（ステップＳ５４）、これをもって、本処理を終了する。なお、第一のフラッシュメモリ３１を初期化した後に、第二のフラッシュメモリ３２に記憶された指定画像データを第一のフラッシュメモリ３１に必ず移動させる必要はなく、第二のフラッシュメモリ３２に記憶させたままでもよい。
【００４５】
本実施の形態のデジタルカメラ２００によれば、入力部５０によって初期化時に記憶しておく画像データが指定され、ＣＰＵ１０１が識別標識付与プログラム１０３ｂを実行することにより、ＣＰＵ１０１が指定された画像データに「ｐｒｅ」の拡張子を付与する。そして、ＣＰＵ１０１が初期化プログラム１０３ａを実行することにより、第一のフラッシュメモリ３１から指定画像データを特定して第二のフラッシュメモリ３２に記憶させた後、第一のフラッシュメモリ３１を初期化する。よって、第一のフラッシュメモリ３１の初期化時に、指定画像データを待避させる第二のフラッシュメモリ３２を設けることにより、記憶しておきたい指定画像データだけを第二のフラッシュメモリ３２に残した状態で第一のフラッシュメモリ３１の初期化を行うことができる。
また、指定された画像データに識別標識を付与することにより、容易に指定された画像データを識別することができるので、記憶しておきたい指定画像データだけを第二のフラッシュメモリ３２に残した状態で第一のフラッシュメモリ３１の初期化を行うことができる。
【００４６】
〔第３の実施の形態〕
次に、本発明のデジタルカメラに係る第３の実施の形態について説明する。なお、第１の実施の形態と同様の構成要素には、同一符号を付して説明を省略する。
デジタルカメラ３００には、図９に示すように、各部の動作制御を行う制御部６０、撮像した画像データを記憶する記憶媒体としてのフラッシュメモリ４１を備えた画像データ記憶部４０、被写体を撮像する撮像部３、撮像した被写体像をデジタル画像データに変換する画像処理部４、フラッシュメモリ４１の初期化時に記憶させておく画像データを指定する入力部５、画像データが表示される表示部６等が設けられている。
【００４７】
制御部６０には、各部の演算処理等を行うＣＰＵ６１、ＣＰＵ６１のワークエリア等として使用されるＲＡＭ６２、ＣＰＵ６１が各部を制御するのに必要なシステムプログラム等が記憶されたＲＯＭ６３等が設けられている。
ＣＰＵ６１は、ＲＯＭ６３内に格納されたプログラムを読み出してＲＡＭ６２内に展開し、当該プログラムに基づいて各部への指示やデータの送受信の制御を行う。
具体的に、ＣＰＵ６１は、フラッシュメモリ４１内の記憶領域からユーザに指定された指定画像データを特定して指定領域４２に記憶させて指定領域以外の記憶領域である一般領域４３を初期化した後、指定領域４２から指定画像データを特定して一般領域４３に記憶させて指定領域４２を初期化する初期化手段として機能する。また、ＣＰＵ６１は、フラッシュメモリ４１内にユーザに指定された指定領域を作成する指定領域作成手段として機能する。
【００４８】
ＲＯＭ６３には、ＣＰＵ６１が各種機能を実行するためのプログラムが格納されている。
具体的に、ＲＯＭ６３は、フラッシュメモリ４１内の記憶領域からユーザに指定された指定画像データを特定して指定領域４２に記憶させて指定領域以外の記憶領域である一般領域４３を初期化した後、指定領域４２から指定画像データを特定して一般領域４３に記憶させて指定領域４２を初期化する機能を実現させる初期化プログラム６３ａを有する。また、ＲＯＭ６３は、フラッシュメモリ４１内にユーザに指定された指定領域を作成する機能を実現させる指定領域作成プログラム６３ｂを有する。
【００４９】
画像データ記憶部４０は、フラッシュメモリ４１を備えるほか、制御部６０とフラッシュメモリ４１とを接続するコネクタ等を備えている。
フラッシュメモリ４１の記憶領域は、ユーザに指定されることにより、指定領域４２を作成することが可能であり、フラッシュメモリ４１の記憶領域内における指定領域４２以外の領域は、一般領域４３となる。なお、第一の実施の形態と異なり、指定領域４２及び一般領域４３ともに初期化可能であり、初期化時には、ＣＰＵ６１が初期化プログラムを実行することにより、いずれか一方の領域を初期化できるようになっている。
【００５０】
〔撮像前に画像データを指定画像データとして指定した場合の指定画像データ記憶処理〕
ここで、第３の実施の形態における撮像前に画像データを指定画像データとして指定した場合の指定画像データ記憶処理については、上述した第１の実施の形態と同様の処理を行うため、説明を省略する。
【００５１】
〔撮像後の画像データ再生中に画像データを指定画像データとして指定した場合の指定画像データ記憶処理〕
続いて、第３の実施の形態における撮像後の画像データ再生中に画像データを指定画像データとして指定した場合の指定画像データ記憶処理については、上述した第１の実施の形態と同様の処理を行うため、説明を省略する。
【００５２】
〔フラッシュメモリの初期化処理〕
続いて、フラッシュメモリの初期化処理について説明する。
図１０に示すように、ユーザが入力部５を介して初期化の指示を行うと、ＣＰＵ６１は、指定領域作成プログラム６３ｂを実行することにより、フラッシュメモリ４１内に指定領域４２を作成する（ステップＳ６１）。このとき、フラッシュメモリ４１の記憶領域内における指定領域４２以外の領域は一般領域４３となる。次いで、ＣＰＵ６１が、初期化プログラム６３ａを実行することにより、フラッシュメモリ４１にアクセスしてユーザに指定された指定画像データを特定する（ステップＳ６２）。次いで、ＣＰＵ６１は、特定した指定画像データを指定領域４２に記憶させ（ステップＳ６３）、ＣＰＵ６１は、一般領域４３を初期化する（ステップＳ６４）。次いで、ＣＰＵ６１は、指定領域４２に記憶された指定画像データを特定し（ステップＳ６５）、特定した指定画像データを一般領域４３に移動させる（ステップＳ６６）。次いで、ＣＰＵ６１は、指定領域４２を初期化し（ステップＳ６７）、フラッシュメモリ４１内の指定領域４２を開放して、一つの記憶領域に戻し（ステップＳ６８）、これをもって、本処理を終了する。
【００５３】
本実施の形態のデジタルカメラ３００によれば、ＣＰＵ６１が指定領域作成プログラム６３ｂを実行することにより、フラッシュメモリ４１内にユーザに指定された指定領域４２を作成し、ＣＰＵ６１が初期化プログラム６３ａを実行することにより、フラッシュメモリ４１内の記憶領域からユーザに指定された指定画像データを特定して指定領域４２に記憶させて指定領域４２以外の一般領域４３を初期化した後、指定領域４２から指定画像データを特定して一般領域４３に記憶させて指定領域４２を初期化する。よって、フラッシュメモリ４１内の記憶領域を一時的に分割して記憶領域を初期化することができるので、記憶しておく画像データだけをフラッシュメモリ４１に残し、他の初期化すべき画像データをフラッシュメモリ４１から初期化することができる。
【００５４】
なお、本発明は、上記実施の形態に限定されるものではなく、例えば、デジタルカメラに替えて携帯電話機、携帯端末等の電子機器にも適用可能である。また、撮像した画像データの輝度値等を算出し、事前に設定した基準となる輝度値と比較して画像データを保存するか否かを自動で判別できるようにしても良い。
更に、第１の実施の形態において、指定画像データ記憶領域の分割の仕方は任意であり、撮像日付毎、使用頻度毎に分割しても良い。また、第２の実施の形態において、画像データの識別を拡張子で行う必要はなく、ファイル名に記号又は番号を付与したり、画像データ内部に識別タグを持たせるようにして分類しても良い。また、記憶媒体は、内蔵されたフラッシュメモリに限らず、外付けのメモリーカードやハードディスクでも良い。その他、本発明は、発明の要旨を逸脱しない範囲内で自由に変更、改良が可能である。
【００５５】
【発明の効果】
請求項１に記載の発明によれば、記憶しておきたい画像データだけを記憶媒体に残し、記憶媒体の初期化を行うことができる。
【００５６】
請求項２に記載の発明によれば、簡単な方法で指定画像データを指定することができるので、ユーザフレンドリーな電子機器とすることができる。
【００５７】
請求項３に記載の発明によれば、記憶しておきたい画像データを使用目的や日付毎に分類することができるので、再生時のアクセスを容易にすることができる。
【００５８】
請求項４に記載の発明によれば、第一の記憶媒体の初期化時に、指定画像データを待避させる第二の記憶媒体を設けることにより、記憶しておきたい指定画像データだけを記憶媒体に残し、記憶媒体の初期化を行うことができる。
【００５９】
請求項５に記載の発明によれば、識別標識を付与することにより画像データを識別することができるので、記憶しておく画像データだけを記憶媒体に残し、他の初期化すべき画像データを記憶媒体から初期化することができる。
【００６０】
請求項６に記載の発明によれば、記憶媒体内の記憶領域を一時的に分割して記憶領域を初期化することができるので、記憶しておく画像データだけを記憶媒体に残し、他の初期化すべき画像データを記憶媒体から初期化することができる。
【図面の簡単な説明】
【図１】第１の実施の形態におけるデジタルカメラの要部構成を示すブロック図である。
【図２】第１の実施の形態における撮像前に画像データを指定画像データとして指定した場合の指定画像データ記憶処理を示すフローチャートである。
【図３】第１の実施の形態における撮像後の画像データ再生中に画像データを指定画像データとして指定した場合の指定画像データ記憶処理を示すフローチャートである。
【図４】第１の実施の形態におけるフラッシュメモリの初期化処理を示すフローチャートである。
【図５】第２の実施の形態におけるデジタルカメラの要部構成を示すブロック図である。
【図６】第２の実施の形態における撮像前に画像データを指定画像データとして指定した場合の指定画像データ記憶処理を示すフローチャートである。
【図７】第２の実施の形態における撮像後の画像データ再生中に画像データを指定画像データとして指定した場合の指定画像データ記憶処理を示すフローチャートである。
【図８】第２の実施の形態におけるフラッシュメモリの初期化処理を示すフローチャートである。
【図９】第３の実施の形態におけるデジタルカメラの要部構成を示すブロック図である。
【図１０】第３の実施の形態におけるフラッシュメモリの初期化処理を示すフローチャートである。
【符号の説明】
１，１０，６０      制御部（初期化手段、記憶制御手段、識別標識付与手段、指定領域作成手段）
２，４１            フラッシュメモリ（記憶媒体）
２１                指定画像データ記憶領域
２１ａ〜２１ｃ      画像データ記憶領域
３１                第一のフラッシュメモリ（第一の記憶媒体）
３２                第二のフラッシュメモリ（第二の記憶媒体）
４２                指定領域
５，５０            入力部（指定手段）
【図１】
2004343323.tif 000003
【図２】
2004343323.tif 000004
【図３】
2004343323.tif 000005
【図４】
2004343323.tif 000006
【図５】
2004343323.tif 000007
【図６】
2004343323.tif 000008
【図７】
2004343323.tif 000009
【図８】
2004343323.tif 000010
【図９】
2004343323.tif 000011
【図１０】
2004343323.tif 000012